(57)【特許請求の範囲】
【請求項１】
ロッドの基端部をグリップに挿着し、該グリップを把持するようにした釣り竿であって、
前記グリップはフロントグリップ部、リールシート部およびリヤグリップ部を含み、
前記リールシート部の前記ロッドに外嵌部材が外嵌し、この外嵌部材の露出部分および前記リヤグリップにおける前記ロッドの露出部分に薄パイプ材が被着されることを特徴とする釣り竿。
【請求項２】
ロッドの基端部をグリップに挿着し、該グリップを把持するようにした釣り竿であって、
前記グリップはフロントグリップ部、リールシート部およびリヤグリップ部を含み、
前記リールシート部およびリヤグリップ部の前記ロッドに外嵌部材が外嵌し、各部位における前記外嵌部材の露出部分に薄パイプ材が被着されることを特徴とする釣り竿。
【発明の詳細な説明】
【０００１】
【発明の属する技術分野】
本発明は、たとえばルアーロッドあるいはフライロッド等のルアー釣りに好適な釣り竿に係り、特に該釣り竿のグリップまわりの構造に関するものである。
【０００２】
【従来の技術】
この種の釣り竿においてたとえば、ロッドの基端部をグリップに挿着し、該グリップを把持するようにしている。従来の釣り竿、特にそのグリップまわりの構造において所謂、ブランクスルー等と呼ばれ、グリップの挿通孔に挿入されるブランク（ロッド）が、該グリップを貫通するというものである。
【０００３】
この場合グリップはフロントグリップ部、リールシート部およびリヤグリップ部を含み、たとえばリヤグリップ部においてこれに挿通するロッドがそのまま露出する構造のものがある。このようにグリップの一部を露出させることで、グリップを把持し易くする等の効果が得られる。
【０００４】
【発明が解決しようとする課題】
しかしながら、従来の釣り竿では前述のようにグリップの一部でロッドを露出させると、その露出部分のロッドが傷つき易くなる等の問題があった。この場合、ロッド材質としてカーボンあるいはグラスファイバ等にあっては特に傷に弱く、一方意匠的にも剛性感を得るのが難しい。
【０００５】
本発明はかかる実情に鑑み、強度あるいは剛性を向上させるとともに、優れた意匠的効果を有する釣り竿を提供することを目的とする。
【０００６】
【課題を解決するための手段】
本発明による釣り竿は、ロッドの基端部をグリップに挿着し、該グリップを把持するようにした釣り竿であって、前記グリップはフロントグリップ部、リールシート部およびリヤグリップ部を含み、前記リールシート部の前記ロッドに外嵌部材が外嵌し、この外嵌部材の露出部分および前記リヤグリップにおける前記ロッドの露出部分に薄パイプ材が被着されることを特徴とする。
【０００７】
また、本発明による釣り竿は、ロッドの基端部をグリップに挿着し、該グリップを把持するようにした釣り竿であって、前記グリップはフロントグリップ部、リールシート部およびリヤグリップ部を含み、前記リールシート部およびリヤグリップ部の前記ロッドに外嵌部材が外嵌し、各部位における前記外嵌部材の露出部分に薄パイプ材が被着されることを特徴とする。
【００１０】
本発明によれば、グリップにおけるフロントグリップ部、リールシート部およびリヤグリップ部いずれかの部位のロッドまたはその外嵌部材の露出部分に、薄パイプ材を被着する。このように薄パイプ材を被着することでロッドの強度を高め、またロッドあるいは外嵌部材自体が直接露出しないため損傷を防止することができる。さらに、意匠的にも剛性感を得ることができる。
【００１１】
【発明の実施の形態】
以下、図面に基き、本発明による釣り竿の好適な実施の形態を説明する。
図１は、本発明による釣り竿の第１の実施形態を示している。この例ではたとえばカーボンあるいはグラスファイバ製のロッド１（メインブランク）の基端部がグリップ１０に挿着され、該グリップ１０を把持するようになっている。このグリップ１０はブランクスルー構造を有し、グリップ１０の挿通孔１０ａに挿入されるロッド１が、該グリップ１０を貫通している。
【００１２】
グリップ１０はフロントグリップ部１１、リールシート部１２およびリヤグリップ部１３を含み、このうちフロントグリップ部１１およびリヤグリップ部１３はゴム材あるいはコルク材等により形成される。また、リールシート部１２はたとえばナイロン樹脂製である。リールシート部１２にはトリガ１４が設けられる。リヤグリップ部１３の後端部にはグリップエンド１５が付設される。
【００１３】
この実施形態ではリヤグリップ部１３は後部寄りの途中適所で前部１３ａと後部１３ｂに２分割されており、これら前部１３ａと後部１３ｂの間においてロッド１が本来露出する部分に薄パイプ材２（斜線部）が被着されている。また、トリガ１４前部のリールシート部１２における湾曲部１２ａにおいても、ロッド１が本来露出する部分に薄パイプ材２（同様に斜線部）が被着されている。
【００１４】
薄パイプ材２は金属または合成樹脂により形成され、ロッド１に圧入することにより被着される。薄パイプ材２の材質としてはたとえばアルミニウム、真鍮、鉄あるいはチタン等の金属、またはプラスチックその他のものが採用される。この場合、薄パイプ材２の表面に文字を印字し、あるいは模様を付し、さらに塗装やメッキ処理等を施してもよい。なお、薄パイプ材２の肉厚はたとえば十分の数ｍｍ程度とするが、これに限らず適宜設定可能である。
【００１５】
また、薄パイプ材２の適用領域として、前述のようにリヤグリップ部１３の少なくとも前部１３ａおよび後部１３ｂ間の領域、あるいはリールシート部１２の湾曲部１２ａの領域を含む。このように個々の部分もしくは領域に薄パイプ材２を設定してもよく、この例のようにロッド１がリールシート部１２からリヤグリップ部１３にかけて同一形態で挿通している場合には、これらの領域全体を一体化して薄パイプ材２を設定してもよい。
【００１６】
上記構成において本発明によれば、グリップ１０におけるリールシート部１２あるいはリヤグリップ部１３の部位のロッド１の露出すべき部分に、上記のように薄パイプ材２を被着する。このように薄パイプ材２を被着することでロッド１の強度を高め、またロッド１自体が直接露出しないため損傷を防止することができる。さらに、カーボン製のロッド１にあってはその材質により外観的または意匠的に剛性感を得るのが難しいが、金属製等の薄パイプ材２が被着されることで高い剛性感を出すことができる。
【００１７】
つぎに、本発明による釣り竿の第２の実施形態を説明する。
図２は、本発明の第２の実施形態を示している。なお、第１の実施形態と実質的に同一または対応する部材には同一符号を用いて説明する。この第２の実施形態における基本構成は、第１の実施形態の場合と同様であり、したがってカーボンあるいはグラスファイバ製のロッド１の基端部がグリップ１０に挿着され、該グリップ１０を把持するようになっている。グリップ１０はフロントグリップ部１１、リールシート部１２およびリヤグリップ部１３を含む。
【００１８】
特に第２の実施形態では、リールシート部１２のロッド１に外嵌部材としてのカーボンパイプ３が外嵌する。そして、このカーボンパイプ３の少なくとも露出部分（湾曲部１２ａの領域）に薄パイプ材２′が被着される。また、リヤグリップ部１３の少なくとも前部１３ａおよび後部１３ｂ間の領域にも薄パイプ材２が被着される。
【００１９】
薄パイプ材２または薄パイプ材２′は金属または合成樹脂により形成され、ロッド１またはカーボンパイプ３に圧入することにより、それぞれ個々に被着される。第２の実施形態においても第１の実施形態の場合と同様に、ロッド１の強度を高め、またロッド１あるいはカーボンパイプ３自体が直接露出しないため損傷を防止することができる。さらに、意匠的にも剛性感を得ることができる。
【００２０】
つぎに、本発明による釣り竿の第３の実施形態を説明する。
図３は、本発明の第３の実施形態を示している。なお、第１の実施形態と実質的に同一または対応する部材には同一符号を用いて説明する。この第３の実施形態における基本構成は、第１の実施形態の場合と同様であり、したがってカーボンあるいはグラスファイバ製のロッド１の基端部がグリップ１０に挿着され、該グリップ１０を把持するようになっている。グリップ１０はフロントグリップ部１１、リールシート部１２およびリヤグリップ部１３を含む。
【００２１】
特に第３の実施形態では、リールシート部１２からリヤグリップ部１３にかけての領域でロッド１にカーボンパイプ３′が外嵌する。そして、この場合カーボンパイプ３′の少なくとも露出部分（湾曲部１２ａの領域）に薄パイプ材２′が被着される。また、リヤグリップ部１３の少なくとも前部１３ａおよび後部１３ｂ間の領域にも薄パイプ材２′が被着される。
【００２２】
第３の実施形態においても第１または第２の実施形態の場合と同様に、ロッド１の強度を高め、またロッド１あるいはカーボンパイプ３自体が直接露出しないため損傷を防止することができる。さらに、意匠的にも剛性感を得ることができる。
【００２３】
なお、上記実施形態における具体的数値例等は、上述した実施形態にのみ限定されるものではなく、必要に応じて適宜変更、設定可能であり、上記実施形態と同様な作用効果を得ることができる。
【００２４】
【発明の効果】
以上説明したように本発明によれば、この種の釣り竿においてグリップにおけるフロントグリップ部、リールシート部およびリヤグリップ部いずれかの部位のロッドまたはその外嵌部材の露出部分に、薄パイプ材を被着することでロッドの強度を高めるとともに損傷を防止することができる。さらに、意匠的にも剛性感を得ることができる等の利点を有している。
【図面の簡単な説明】
【図１】本発明による釣り竿の第１の実施形態を示す図である。
【図２】本発明による釣り竿の第２の実施形態を示す図である。
【図３】本発明による釣り竿の第３の実施形態を示す図である。
【符号の説明】
１    ロッド
２，２′    薄パイプ材
３，３′    カーボンパイプ
１０    グリップ
１０ａ    挿通孔
１１    フロントグリップ部
１２    リールシート部
１３    リヤグリップ部
１４    トリガ
１５    グリップエンド
【図１】
0004040884.tif 000002
【図２】
0004040884.tif 000003
【図３】
0004040884.tif 000004